(57)【要約】【課題】無線チャネル品質情報の推定精度を向上させるために、受信信号の復号処理で得た情報を利用して補正した無線チャネル品質情報を基地局に報告する無線通信装置を提供する。【解決手段】無線通信装置１は、無線チャネル品質情報に基づいて適応リンク制御を行う無線通信システムにおける無線通信装置であって、受信信号のＳＮ比を推定するチャネル品質推定部２と、受信信号の復調を行う復調部３と、復調した受信信号に軟判定復号を行う復号部４と、チャネル品質推定部２が推定したＳＮ比を軟判定復号で得られる尤度情報を利用して補正する補正部５と、補正部５が補正したＳＮ比を無線チャネル品質情報に変換する変換部６と、変換部６が変換した無線チャネル品質情報を信号送信側に送信する送信部７とを備えたことを特徴とする。【選択図】図７
2010130050.tif 000002
【特許請求の範囲】
【請求項１】
無線チャネル品質情報に基づいて適応リンク制御を行う無線通信システムにおける無線通信装置であって、
受信信号のＳＮ比を推定するチャネル品質推定部と、
受信信号の復調を行う復調部と、
復調した受信信号に軟判定復号を行う復号部と、
チャネル品質推定部が推定したＳＮ比を軟判定復号で得られる尤度情報を利用して補正する補正部と、
補正部が補正したＳＮ比を無線チャネル品質情報に変換する変換部と、
変換部が変換した無線チャネル品質情報を信号送信側に送信する送信部とを備えた
ことを特徴とする無線通信装置。
【請求項２】
ＳＮ比と無線チャネル品質情報との対応関係を示すマッピングテーブルを記憶する記憶部を備え、
変換部は、補正部が補正したＳＮ比に対応する無線チャネル情報を前記記憶部に記憶されているマッピングテーブルから読み取る
請求項１記載の無線通信装置。
【請求項３】
補正部は、復号部から得られる尤度情報から尤度閾値を算出し、各尤度と尤度閾値との大小関係を判定した結果を反映してＳＮ比を補正する
請求項１または請求項２記載の無線通信装置。
【請求項４】
記憶部は、尤度閾値を記憶し、
補正部は、復号部から得られる尤度情報の各尤度と前記記憶部に記憶されている尤度閾値との大小関係を判定した結果を反映してＳＮ比を補正する
請求項１または請求項２記載の無線通信装置。
【請求項５】
無線チャネル品質情報に基づいて適応リンク制御を行う無線通信システムにおける無線通信方法であって、
受信信号のＳＮ比を推定し、
受信信号の復調を行い、
復調した受信信号に軟判定復号を行い、
推定したＳＮ比を軟判定復号で得られる尤度情報を利用して補正し、
補正したＳＮ比を無線チャネル品質情報に変換し、
変換した無線チャネル品質情報を信号送信側に送信する
ことを特徴とする無線通信方法。
【請求項６】
補正したＳＮ比に対応する無線チャネル情報を記憶部に記憶されているＳＮ比と無線チャネル品質情報との対応関係を示すマッピングテーブルから読み取る
請求項５記載の無線通信方法。
【請求項７】
軟判定復号で得られる尤度情報から尤度閾値を算出し、各尤度と尤度閾値との大小関係を判定した結果を反映してＳＮ比を補正する
請求項５または請求項６記載の無線通信方法。
【請求項８】
軟判定復号で得られる尤度情報の各尤度と記憶部に記憶されている尤度閾値との大小関係を判定した結果を反映してＳＮ比を補正する
請求項５または請求項６記載の無線通信方法。
【発明の詳細な説明】
【技術分野】
【０００１】
本発明は、適応リンク制御を利用する無線通信装置および無線通信方法に関する。
【背景技術】
【０００２】
３ＧＧＰ（3rd Generation Partnership Project）で規定されるＬＴＥ（Long Term Evolution ）などの移動体通信における移動体通信システムにおいては、限られた無線リソースを効率的に活用するために、移動局が推定した無線チャネル品質情報に基づいて基地局が適応的に符号化率および変調方式などの伝送フォーマットを変更する適応リンク制御が用いられている。このような移動体通信システムでは、基地局装置は、移動局から報告された無線チャネル品質情報に基づいて適応リンク制御を行う。
【０００３】
移動体通信システムにおいて、適応リンク制御を実現するために、一般的には以下に示すような処理を行う。
【０００４】
移動局は、既知の信号である基準信号（ＲＳ：Reference Signal）を用いて信号対雑音電力比（ＳＮ比：Signal to Noise Ratio ）を推定する。移動局は、移動局であらかじめ用意しておいたテーブルを用いて、ＳＮ比を無線チャネル品質情報を表すＣＱＩ（Channel Quality Indicator ）に変換する。このテーブルを、「ＳＮ比−ＣＱＩマッピングテーブル」と呼ぶ。一方で移動局は、データ信号を復調／復号する。復号の方法としては、軟判定方式がある（例えば、特許文献１参照）。そして、移動局は、上りの通信チャネルを用いて、基地局に下りの無線チャネル品質情報を報告する。基地局は、セル内の複数の移動局からの無線チャネル品質情報の報告値を集計し、チャネル品質が良い移動局に無線リソースを割当てるように適応リンク制御を行う。
【０００５】
特許文献１には、ＭＡＰ（Maximum A Posteriori）規範に基づくＭＡＰ受信機が記載されている。特許文献１に記載されたＭＡＰ受信機のＭＡＰチャネル等化器は、インパルス応答の推定値、共分散行列、検波信号および符号化ビットの軟判定による情報を用いてＭＡＰ規範に基づく符号化ビットの事後確率を求め、その対数尤度比を符号化ビットの事前情報として出力する。
【０００６】
【特許文献１】特開２００６−３３３４１９号公報（段落０００９−００１０）
【発明の開示】
【発明が解決しようとする課題】
【０００７】
しかし、移動局から報告された無線チャネルの品質情報と、現在の移動局の位置の伝搬環境との差分が大きい場合には、基地局装置は効果的に伝送フォーマットを変更することができず、適応リンク制御が効果的に行われなくなる可能性がある。
【０００８】
基地局は、移動局から報告されるＣＱＩに基づいてスケジューリングを行うため、移動局の報告値（無線チャネルの品質情報）と実際のチャネル品質との間の誤差が大きいと、適切なスケジューリングが行えなくなる。適切なスケジューリングが行えないと、システムスループットが低下する。従って、基地局主導のスケジューリングを行う際には、移動局から報告されるＣＱＩには高い信頼性が求められる。
【０００９】
更に、ＬＴＥでは、移動局は、ＣＱＩだけでなく、ＲＩ（Rank Indicator）およびＰＭＩ（Precoding Matrix Indicator）を基地局に報告するため、変調方式および符号化効率だけでなく、送信モード（シングルアンテナ送信、送信ダイバーシチおよび空間多重）も適応的に制御することになる。ＣＱＩ、ＲＩおよびＰＭＩの精度が低いと、再送制御が頻発する可能性があり、システムスループットが低下するおそれがある。
【００１０】
そこで、本発明は、無線チャネル品質情報の推定精度を向上させるために、受信信号の復号処理で得た情報を利用して補正した無線チャネル品質情報を基地局に報告する無線通信装置および無線通信方法を提供することを目的とする。
【課題を解決するための手段】
【００１１】
本発明における無線通信装置は、無線チャネル品質情報に基づいて適応リンク制御を行う無線通信システムにおける無線通信装置であって、受信信号のＳＮ比を推定するチャネル品質推定部と、受信信号の復調を行う復調部と、復調した受信信号に軟判定復号を行う復号部と、チャネル品質推定部が推定したＳＮ比を軟判定復号で得られる尤度情報を利用して補正する補正部と、補正部が補正したＳＮ比を無線チャネル品質情報に変換する変換部と、変換部が変換した無線チャネル品質情報を信号送信側に送信する送信部とを備えたことを特徴とする。
【００１２】
本発明における無線通信方法は、無線チャネル品質情報に基づいて適応リンク制御を行う無線通信システムにおける無線通信方法であって、受信信号のＳＮ比を推定し、受信信号の復調を行い、復調した受信信号に軟判定復号を行い、推定したＳＮ比を軟判定復号で得られる尤度情報を利用して補正し、補正したＳＮ比を無線チャネル品質情報に変換し、変換した無線チャネル品質情報を信号送信側に送信することを特徴とする。
【発明の効果】
【００１３】
本発明によると、受信信号の復号処理で得た情報を利用して補正した無線チャネル品質情報を基地局に報告して、無線チャネル品質情報の推定精度を向上させる無線通信装置および無線通信方法を提供することができる。
【発明を実施するための最良の形態】
【００１４】
図１は、本発明による無線通信装置の一実施形態の構成を示すブロック図である。図１を参照して、本実施形態の無線通信装置について説明する。
【００１５】
無線通信装置１００は、適応リンク制御を用いる無線通信システムにおける移動局の受信装置とする。無線通信装置１００は、物理チャネル／信号分離部１０、チャネル品質情報推定部１１、チャネル推定部１２、復調部１３、ターボ復調部１４、尤度加工部１６およびチャネル品質情報報告部１１２を備えている。無線通信装置１００は、下りの受信信号の受信処理を行うとする。
【００１６】
物理チャネル／信号分離部１０は、受信信号からＲＳとデータ信号とを分離する。物理チャネル／信号分離部１０は、ＲＳをチャネル品質情報推定部１１およびチャネル推定部１２に出力し、データ信号を復調部１３に出力する。
【００１７】
チャネル品質情報推定部１１は、信号対雑音電力推定部１１０およびチャネル品質情報補正部１１１を備えている。信号対雑音電力推定部１１０は、物理チャネル／信号分離部１０から入力したＲＳを基に、雑音電力および信号電力からＳＮ比を推定する。信号対雑音電力推定部１１０は、推定したＳＮ比（測定ＳＮ比）をチャネル品質情報補正部１１１に出力する。チャネル品質情報補正部１１１は、ＳＮＲ判定部１１１０、ＳＮＲ中間値設定部１１１１および補正ＳＮＲ算出部１１１２を備えている。
【００１８】
チャネル推定部１２は、物理チャネル／信号分離部１０から入力したＲＳに基づいてチャネルの推定処理を行い、チャネル推定値を算出する。チャネル推定部１２は、チャネル推定値を復調部１３に出力する。
【００１９】
復調部１３は、物理チャネル／信号分離部１０から入力したデータ信号と、チャネル推定部１２から入力したチャネル推定値とを利用して復調処理を行う。復調処理に際して、復調部１３は、リソースエレメントの事前尤度を取得する。
【００２０】
ターボ復号部１４は、復調部１３が取得した事前尤度を利用してターボ復号処理を行う。ターボ復号部１４は、復号機能として軟判定復号を備えている。ターボ復号部１４は、各コードワードの復号を実施し、コードブロック（誤り訂正符号化単位）ごとの事後尤度情報およびコードブロックごとのＣＲＣ（ＣＢ−ＣＲＣ：Code Block CRC）判定結果を取得する。ターボ復号部１４は、コードブロックごとの事後尤度情報およびＣＢ−ＣＲＣ判定結果を、尤度加工部１６に備えられた尤度サンプリング部１６０および尤度閾値算出部１６３に出力する。
【００２１】
尤度加工部１６は、無線チャネル品質情報を補正する前準備として事後尤度情報の加工を行う。尤度加工部１６は、尤度サンプリング部１６０、尤度平均化部１６１、尤度判定部１６２および尤度閾値算出部１６３を備えている。
【００２２】
尤度サンプリング部１６０は、コードワードごとの事後尤度をバッファリングし、サブバンド単位に各コードワードで得られたビットの事後尤度を分割する（事後尤度のサンプリング）。尤度サンプリング部１６０は、サンプリングした事後尤度を尤度平均部１６１に出力する。尤度平均部１６１は、サンプリングされた全ての事後尤度の絶対値の平均値を算出する。
【００２３】
尤度閾値算出部１６３は、ターボ復号部１４が取得した全てのコードワードの事後尤度の絶対値の平均を尤度閾値Ｔとして算出する。尤度閾値算出部１６３は、尤度閾値Ｔを尤度判定部１６２に出力する。なお、尤度閾値Ｔを、不揮発な値としてあらかじめＲＯＭに保持させておいてもよい。
【００２４】
尤度判定部１６２は、尤度サンプリング部１６０でサンプリングされたサブバンド単位の事後尤度Ｌ［ｓ］（ｓ＝０，・・・，（Ｓ−１）  Ｓ：サブバンド数）と、尤度閾値算出部１６３で算出された尤度閾値Ｔとを用いて、サブバンドごとに事後尤度の大小比較の判定を行う。尤度判定部１６２は、事後尤度の大小比較の判定結果として、ＣＯＭＰとして示されるパラメータに０か１を保持する。事後尤度の大小比較の判定式を示す。
ｓ＝０，・・・，（Ｓ−１）のそれぞれのＬ［ｓ］について
Ｌ［ｓ］＞Ｔ  である場合、ＣＯＭＰ＝０
Ｌ［ｓ］≦Ｔ  である場合、ＣＯＭＰ＝１
ＣＯＭＰの値は、チャネル品質情報推定部１１のチャネル品質情報補正部１１１の補正ＳＮＲ算出部１１１２に出力される。
【００２５】
チャネル品質情報補正部１１１のＳＮＲ判定部１１１０は、信号対雑音電力推定部１１０から入力した測定ＳＮ比を基地局に報告するＣＱＩに変換するために、移動局にあらかじめ用意されているＳＮ比−ＣＱＩマッピングテーブル（図示せず）を参照し、対応するＣＱＩの値を読み取る。ＳＮＲ判定部１１１０は、測定ＳＮ比がＳＮ比−ＣＱＩマッピングテーブルでどの範囲に位置しているか判定し、属している範囲のＳＮ比の最大値Ｘ［ｎ＋１］および最小値Ｘ［ｎ］を読み取る。ＳＮＲ中間値設定部１１１１は、ＳＮＲ判定部１１１０で読み取った値や測定ＳＮ比を基にして、ＳＮ比の中間値Ｘ［ｃ］を算出する。
【００２６】
補正ＳＮＲ算出部１１１２は、測定ＳＮ比、測定ＳＮ比に対応するＣＱＩ値、Ｘ［ｎ＋１］、Ｘ［ｎ］、Ｘ［ｃ］、および尤度加工部１６の尤度判定部１６２から入力するＣＯＭＰの値を用いてＣＱＩの補正を行う。補正ＳＮＲ算出部１１１２は、コードブロックごとの尤度情報を利用して、ＣＱＩ値を補正する。なお、ＣＱＩはサブバンド単位（周波数軸上で連続した周波数リソース）で測定されるとする。ＣＱＩの補正の方法を、以下の（１）〜（４）に示す。
（１）Ｘ［ｎ］≦測定ＳＮ比＜（Ｘ［ｃ］＋Ｘ［ｎ］）／２  である場合、
測定ＳＮ比は、Ｘ［ｎ＋１］に比べてＸ［ｎ］に十分近いことを意味するので、補正処理を行わない。すなわち、測定ＳＮ比に基づいて、ＣＱＩ＝ｎとする。
（２）（Ｘ［ｃ］＋Ｘ［ｎ］）／２≦測定ＳＮ比＜Ｘ［ｃ］  である場合、
ＣＯＭＰ＝０であれば、事後尤度の絶対値が尤度閾値よりも大きいにもかかわらず、測定ＳＮ比がＳＮ比の中間値よりも小さく推定されていることを意味するので、実際のチャネル品質よりも悪く推定されていると判定する。したがって、ＣＱＩ＝ｎ＋１と補正する。
ＣＯＭＰ＝１であれば、事後尤度の絶対値が尤度閾値よりも小さく、測定ＳＮ比もＳＮ比の中間値よりも小さく推定されていることを意味するので、推定された測定ＳＮ比は、妥当なチャネル品質を表していると判定する。したがって、補正処理は行わず、ＣＱＩ＝ｎとする。
（３）Ｘ［ｃ］≦測定ＳＮ比＜（Ｘ［ｃ］＋ｘ［ｎ＋１］）／２  である場合、
ＣＯＭＰ＝０であれば、事後尤度の絶対値が尤度閾値よりも大きく、測定ＳＮ比もＳＮ比の中間値よりも大きく推定されていることを意味するので、推定された測定ＳＮ比は、妥当なチャネル品質を現していると判定する。したがって、補正処理を行わず、ＣＱＩ＝ｎ＋１とする。
ＣＯＭＰ＝１であれば、事後尤度の絶対値が尤度閾値よりも小さいにもかかわらず、測定ＳＮ比がＳＮ比の中間値よりも大きく推定されていることを意味するので、実際のチャネル品質よりも良好に推定されていると判定する。したがって、ＣＱＩ＝ｎと補正する。
（４）（Ｘ［ｃ］＋Ｘ［ｎ＋１］）／２≦測定ＳＮ比≦Ｘ［ｎ＋１］  である場合、
測定ＳＮ比は、Ｘ［ｎ］に比べてｘ［ｎ＋１］に十分近いことを意味するので、補正処理を行わない。すなわち、測定ＳＮ比に基づいて、ＣＱＩ＝ｎ＋１とする。
【００２７】
チャネル品質情報報告部１１２は、補正ＳＮＲ算出部１１１２で補正を行ったＣＱＩを符号化し、変調処理を施して、上り通信チャネルで基地局に送信する。
【００２８】
図２は、図１に示された無線通信装置の動作を示すフローチャートである。図２を参照して、本実施形態の無線通信装置が、下り信号を受信してから基地局に報告する無線チャネル品質情報を算出する動作を説明する。
【００２９】
図３は、３ＧＰＰ  ＴＳ３６．２１１で規定されるＬＴＥのｓｌｏｔ構造を示す説明図である。図３に示されたｓｌｏｔは、時間方向に７または６のＯＦＤＭ（Orthogonal Frequency Division Multiplex ）を持ち、周波数方向にシステム帯域幅ごとに定義される数に相当するリソースエレメント（サブキャリア）を持つ。周波数方向の連続するｐ個（ｐは１２または２４）のリソースエレメントを束ねた単位は、リソースブロック（ＲＢ：Resource Block）と定義される。更に連続するｑ個のＲＢを束ねた単位はサブバンドと定義される。
【００３０】
図４は、リソースエレメントにマッピングされたコードブロックを示す説明図である。基地局で符号化された各コードブロックは、それぞれが変調処理で複素シンボルに変換された後、図４に示されたように、周波数方向および時間方向の順で各リソースエレメントにマッピングされるとする。また、ＣＱＩはサブバンド単位、またはシステム帯域幅全体で算出されて基地局に報告されるとする。
【００３１】
移動局である無線通信装置１００において、物理チャネル／信号分離部１０は、受信信号から既知信号であるＲＳとデータ信号とを分離する。信号対雑音電力比推定部１１０は、ＲＳを用いて雑音電力およびＳＮ比を算出する（ステップＳ１１）。チャネル推定部１２は、ＲＳを用いてチャネル推定処理を行って各リソースエレメントのチャネル推定値を算出する。復調部１３は、算出したチャネル推定値を用いて各リソースエレメントの復調処理を行って事前尤度を算出する。ターボ復号器１４は、事前尤度を入力として、Ｎ個のコードブロックのターボ復号処理を行ってコードブロックの事後尤度を取得する（ステップＳ１２）。
【００３２】
尤度サンプリング部１６０は、Ｎ個のコードブロックの事後尤度を自局宛にリソースが割当てられているＳ個のサブバンド毎にバッファリングし、サブバンド単位に各コードワードで得られたビットの事後尤度を分割する（ステップＳ１４）。尤度平均化部１６１は、サブバンドごとに各事後尤度の絶対値を取得してそれらの平均値を算出する。図４に示されたサブバンドとコードブロックの関係を参照して具体的に説明する。図４に示されたサブバンド＃０には、コードブロックを意味するＣＢ＃０、ＣＢ＃１およびＣＢ＃２がマッピングされている。尤度サンプリング部１６０は、ＣＢ＃０、ＣＢ＃１およびＣＢ＃２のうち、サブバンド＃０にマッピングされているビットの事後尤度をバッファリングする。尤度平均化部１６１は、バッファリングした各ビットの事後尤度の絶対値を取得してそれらの平均値を算出する（ステップＳ１５）。尤度閾値算出部１６３は、全てのコードブロックの事後尤度の絶対値の平均を尤度閾値Ｔとして設定する。なお、事後尤度のサンプリング処理で事後尤度をサブバンド単位に分割する前に、尤度閾値Ｔを算出してもよい（ステップＳ１３）。
【００３３】
尤度判定部１６２は、各サブバンドｓの事後尤度Ｌ[ｓ]に対して尤度閾値Ｔとの大小比較の判定を行い、判定結果をサブバンドごとの大小比較結果を示すパラメータであるＣＯＭＰに０，１で格納する（ステップＳ１６）。
【００３４】
図５は、ＳＮ比とＣＱＩの対応を示すＳＮＲ−ＣＱＩマッピングテーブルの一例を示す説明図である。チャネル品質情報補正部１１１のＳＮＲ判定部１１１０は、図５に示されたＳＮＲ−ＣＱＩマッピングテーブルを参照する（ステップＳ１７）。ＳＮＲ判定部１１１０は、測定ＳＮ比がどの範囲に位置しているか判定し、属している範囲のＳＮ比の最大値をＸ［ｎ＋１］、最小値をＸ［ｎ］として読み取る。ＳＮＲ中間値設定部１１１１は、Ｘ［ｎ＋１］およびＸ［ｎ］から、中間値Ｘ［ｃ］を算出する（ステップＳ１８）。例えば、測定ＳＮ比が、図５のＳＮＲの列に示されたＸ２とＸ３との間に位置していたとする。この場合、測定ＳＮ比が属している範囲のＳＮ比の最大値Ｘ［ｎ＋１］はＸ３となり、最小値Ｘ［ｎ］はＸ２となる。ＳＮＲ中間値設定部１１１１が算出するＳＮ比の中間値Ｘ［ｃ］は、（Ｘ２＋Ｘ３）／２となる。
【００３５】
なお、本説明では、ＳＮ比の中間値Ｘ［ｃ］は、ＳＮＲ−ＣＱＩマッピングテーブルのＳＮ比の各要素の中間値を用いているが、例えば、ＳＮ比の各要素の中間値に特定のオフセット値を加えた値などを用いてもよい。
【００３６】
補正ＳＮＲ算出部１１１２は、ＣＯＭＰ、Ｘ［ｎ］、ｘ［ｎ＋１］、Ｘ［ｃ］および測定ＳＮ比を用いて、本実施形態の説明で先述した補正方法（１）〜（４）に従って、基地局に報告するＣＱＩを補正する（ステップＳ１９〜Ｓ２８）。ここで、図２のステップＳ１９に示された中間値１は、補正方法（１）の（Ｘ［ｃ］＋Ｘ［ｎ］）／２に相当する。図２のステップＳ２０に示された中間値２は、補正方法（２）のＸ［ｃ］に相当する。図２のステップＳ２４に示された中間値３は、補正方法（３）の（Ｘ［ｃ］＋ｘ［ｎ＋１］）／２に相当する。図６は、補正ＳＮＲ算出部によって補正されたＣＱＩを示す説明図である。図６に示された中間値１、中間値２および中間値３の値は、それぞれの中間値をＸ２およびＸ３で表した値であり、ＣＱＩの値は、図５に示されたＳＮ比とＣＱＩとの対応に基づいている。
【００３７】
チャネル品質情報報告部１１２は、補正ＳＮＲ算出部１１１２で補正を行ったＣＱＩ（図２のステップＳ２８に示されたＣＱＩｒｅｐに相当）を符号化し、変調処理を施して、上り通信チャネルで基地局に送信する。
【００３８】
このような無線通信装置では、移動局での復号結果を加味して補正した無線チャネル品質情報を基地局に報告するので、伝搬環境だけでなく移動局の受信状態も報告し、基地局装置での適応リンク制御に用いられる無線チャネル品質情報の精度を高め、適応リンク制御の品質を向上させることができる。
【００３９】
なお、本実施形態では、適応リンク制御を用いる無線通信方式として、ＬＴＥを想定したが、本発明は、適応リンク制御を用いるマルチキャリア無線通信システムに適用可能である。
【００４０】
また、本実施形態では、移動局の復号器としてターボ復号器（ターボ復号部１４）が用いられているが、他の軟判定繰り返し復号器を備えてもよい。
【００４１】
図７は、本発明による無線通信装置の主要部を示すブロック図である。図７に示すように、無線通信装置１は、無線チャネル品質情報に基づいて適応リンク制御を行う無線通信システムにおける無線通信装置であって、受信信号のＳＮ比を推定するチャネル品質推定部２（図１に示す物理チャネル／信号分離部１０、チャネル推定部１２および信号対雑音電力比推定部１１０に相当）と、受信信号の復調を行う復調部３（図１に示す復調部１３に相当）と、復調した受信信号に軟判定復号を行う復号部４（図１に示すターボ復号部１４に相当）と、チャネル品質推定部２が推定したＳＮ比を軟判定復号で得られる尤度情報を利用して補正する補正部５（図１に示す尤度加工部１６およびチャネル品質情報補正部１１１に相当）と、補正部５が補正したＳＮ比を無線チャネル品質情報に変換する変換部６（図１に示すチャネル品質情報補正部１１１に相当）と、変換部６が変換した無線チャネル品質情報を信号送信側に送信する送信部７（図１に示すチャネル品質情報報告部１１２に相当）とを備えたことを特徴とする。このような無線通信装置では、移動局での復号結果を加味して補正した無線チャネル品質情報を基地局に報告するので、伝搬環境だけでなく移動局の受信状態も報告し、基地局装置での適応リンク制御に用いられる無線チャネル品質情報の精度を高め、適応リンク制御の品質を向上させることができる。
【００４２】
また、上記の実施形態の無線通信装置には、以下の（１）〜（３）に示すような無線通信装置も示されている。
【００４３】
（１）ＳＮ比と無線チャネル品質情報との対応関係を示すマッピングテーブルを記憶する記憶部を備え、変換部は、補正部が補正したＳＮ比に対応する無線チャネル情報を記憶部に記憶されているマッピングテーブルから読み取る（例えば、ステップＳ１７の動作によって実現される。）無線通信装置。そのように構成された無線通信装置では、復号処理で得られる尤度情報を利用して補正されたＳＮ比に対応する無線チャネル品質情報を読み取り、基地局に報告することができる。
【００４４】
（２）補正部は、復号部から得られる尤度情報から尤度閾値を算出し（例えば、ステップＳ１３の動作によって実現される。）、各尤度と尤度閾値との大小関係を判定した結果を反映してＳＮ比を補正する（例えば、ステップＳ１６〜Ｓ２８の動作によって実現される。）無線通信装置。そのように構成された無線通信装置では、復号処理で得られる尤度情報を利用してＳＮ比を補正することができる。
【００４５】
（３）記憶部は、尤度閾値を記憶し、補正部は、復号部から得られる尤度情報の各尤度と記憶部に記憶されている尤度閾値との大小関係を判定した結果を反映してＳＮ比を補正する（例えば、尤度閾値算出部１６３の動作によって実現される。）無線通信装置。そのように構成された無線通信装置では、復号処理で得られる事後尤度と記憶部に記憶されている尤度閾値とを利用してＳＮ比の補正を行うことができる。
【産業上の利用可能性】
【００４６】
本発明を、適用リンク制御を利用する無線通信システムに適用することができる。
【図面の簡単な説明】
【００４７】
【図１】本発明による無線通信装置の一実施形態の構成を示すブロック図である。
【図２】図１に示された無線通信装置の動作を示すフローチャート図である。
【図３】３ＧＰＰ  ＴＳ３６．２１１で規定されるＬＴＥのｓｌｏｔ構造を示す説明図である。
【図４】リソースエレメントにマッピングされたコードブロックを示す説明図である。
【図５】ＳＮ比とＣＱＩの対応を示すＳＮＲ−ＣＱＩマッピングテーブルの一例を示す説明図である。
【図６】補正ＳＮＲ算出部によって補正されたＣＱＩを示す説明図である。
【図７】本発明による無線通信装置の主要部を示すブロック図である。
【符号の説明】
【００４８】
１    無線通信装置
２    チャネル品質推定部
３    復調部
４    復号部
５    補正部
６    変換部
７    送信部
１０  物理チャネル／信号分離部
１１  チャネル品質情報推定部
１２  チャネル推定部
１３  復調部
１４  ターボ復号部
１６  尤度加工部
１００  無線通信装置
１１０  信号対雑音電力比推定部
１１１  チャネル品質情報補正部
１１２  チャネル品質情報報告部
１６０  尤度サンプリング部
１６１  尤度平均化部
１６２  尤度判定部
１６３  尤度閾値算出部
１１１０  ＳＮＲ判定部
１１１１  ＳＮＲ中間値設定部
１１１２  補正ＳＮＲ算出部
【図１】
2010130050.tif 000003
【図２】
2010130050.tif 000004
【図３】
2010130050.tif 000005
【図４】
2010130050.tif 000006
【図５】
2010130050.tif 000007
【図６】
2010130050.tif 000008
【図７】
2010130050.tif 000009